(57)【要約】【課題】ヒトの発汗直後の汗そのものには臭いは無いものの、時間が経過するにつれて雑菌が増殖する事で臭気が出てくる。また、頭皮においては雑菌の繁殖による臭気や頭皮のかゆみ、フケ等が生じやすくなる。更にペットや家畜などにおいてはアポクリン腺からの汗と皮脂や角質と毛が混ざって雑菌が増える事で皮膚病や臭いの原因となっている。【解決手段】銅イオンまたは銀イオンを放出可能な電極を持つ櫛またはブラシと、電解液として機能する液体を組み合わせたもので、ヒトやペットや家畜の皮膚、毛髪、被毛に対して微量金属作用である殺菌効果を利用し、その対象となる菌由来のフケ、かゆみ、皮膚病、臭いなどが防止できる。【選択図】図３
2020185291.tif 000002
【特許請求の範囲】
【請求項１】
ヒトやペットや家畜の、皮膚や毛髪や被毛の何れか１つ以上に、
電解液と共に触れる事が可能な、少なくとも１つの電極に、
銅イオンを電解液中に溶出可能な銅を含む部材、もしくは、
銀イオンを電解液中に溶出可能な銀を含む部材、が使われ、もしくは、
前記部材を組み合わせて使われる、櫛、またはブラシ。
【請求項２】
請求項1に記載の
銅イオンを電解液中に溶出可能な銅を含む部材、の一部と、
銀イオンを電解液中に溶出可能な銀を含む部材、の一部が、
電気的に接続された少なくとも一組の電極は、
それぞれの前記電極の他方の端部が、ヒトやペットや家畜の、
皮膚や毛髪や被毛の何れか１つ以上に、前記電解液と共に触れる事が可能な、櫛、またはブラシ。
【請求項３】
請求項１〜２に記載の
銅イオンを電解液中に溶出可能な、銅を含む部材、と、
銀イオンを電解液中に溶出可能な、銀を含む部材、との組み合わせ、もしくは
銅イオンを電解液中に溶出可能な、銅を含む部材、同士で成る電極同士、もしくは
銀イオンを電解液中に溶出可能な、銀を含む部材、同士で成る電極同士、との組み合わせに、
電位差を持たせた、少なくとも一組の電極は、
前記電極のそれぞれの端部がヒトやペットや家畜皮膚に、
電解液と共に触れる事が可能な、棒状部材または櫛、またはブラシ。
【請求項４】
請求項１〜３に記載の電極と電極部のうち、
少なくともひとつの電極もしくは電極部、または、
少なくとも一組の電極もしくは一組の電極部、は、
前記電解液が通過もしくは浸透可能な、貫通するひとつ以上の穴もしくは空隙が開いているか、または
前記電解液が通過もしくは浸透可能なスリットや溝が設けられるか、または
前記電解液が通過もしくは浸透可能な隙間を持ちつつ、前記電極に付随する部材か、または
電極自身が束になっているか、または
多孔質で、前記電解液が浸透可能な部分を持つ部材を有するか、または
繊維状で、前記電解液が浸透可能な部材を有するか、または
前記電解液をスプレーまたは噴射機能を持つ機構を有する、櫛、またはブラシ。  
【請求項５】
請求項１〜４に記載の電極のうち、少なくともひとつが、
往復運動もしくは回転運動が可能な機構を備える、櫛、またはブラシ。
【請求項６】
請求項１〜５に記載の何れかの電極のうち、
少なくともひとつが熱源と接続され、
前記電極に接する皮膚や毛髪及び被毛に熱を伝える、櫛、もしくはブラシ。
【請求項７】
請求項１〜６に記載の何れかの電極と、共に温風もしくは冷風が供給される、櫛、もしくはブラシ。
【請求項８】
請求項１〜７に記載の何れかの電極保持部、もしくは、
請求項１〜７に記載の何れか、少なくとも１つの電極部もしくは少なくとも１つの前記電極自身が、
可塑性のある、もしくは柔軟で復元性を持つ弾性部材、もしくはその両方を持つ、櫛、またはブラシ。
【請求項９】
請求項１〜８に記載の何れかの電極が配置されたそれぞれの電極の配列は、
前記電極の、同時に３次曲面に触れる事が可能な、3つ以上の前記電極の先端部が、
２次曲線上、もしくは略２次曲線上、または３次曲線上、もしくは略３次曲線上でアーチ状を成す配列になっている、櫛、もしくはブラシ。
【請求項１０】
請求項１〜９に記載の櫛またはブラシを持つ、
整髪器具、もしくは整毛器具または整髪料容器、もしくは整毛料容器、もしくは液体容器、もしくは電解液塗布容器、もしくはマッサージ器、またはブラッシング器、もしくはヘアードライヤー。
【発明の詳細な説明】
【技術分野】
【０００１】
本発明は殺菌器具に関する。
【背景技術】
【０００２】
特許文献１及び２は、いずれも高電圧により空気をイオン化して髪に供給するもので、
本発明のように人体や動物に対して電極から電解液中に銅または銀イオンを溶出する櫛またはブラシは無かった。
【先行技術文献】
【特許文献】
【０００３】
【特許文献１】特開２０１８−１０２５４０
【特許文献２】特開２００３−１３５１５１
【発明の概要】
【発明が解決しようとする課題】
【０００４】
ヒトの発汗直後の汗そのものには臭いは無いものの、時間が経過するにつれて雑菌が増殖する事で臭気が出てくる。
また、頭皮においては雑菌の繁殖による臭気や頭皮のかゆみ、フケ等が生じやすくなる。
更にペットや家畜などにおいてはアポクリン腺からの汗と皮脂や角質と毛が混ざって雑菌が増える事で皮膚病や臭いの原因となっている。
【課題を解決するための手段】
【０００５】
（殺菌効果）
銀や銅は金属アレルギーを起こす可能性が極めて低く、銀や銅の制菌・防臭効果は昔かから知られており、
「微量金属作用」と言われる優れた抗菌効果がある事が判っている。
また、同様に銀や銅による臭いの原因菌を抑える事で、前記原因菌由来の消臭（防臭）効果もある。
また、病院等でドアノブ、ベッドの柵、手すり、床などの部材として、
実際に銅の合金である黄銅（真鍮）、青銅が使われ効果が認められている。
【０００６】
（金属臭とイオン）
金属を触って金属臭として感じる現象は金属そのものの臭気ではなく、
金属に接触した皮膚上の汗などに由来する電解質と金属イオンが反応した物質の臭気である事は
ドイツ、ライプツィヒ大学のGlindemannらの研究で明らかであり、
銅で出来た硬貨などを触っても同様に金属臭を感じる。
この事から、アノードとカソードの電極ペアが無くても単一の電極から銅イオンは電解液中に溶出するし、
発汗した皮膚などに触れれば銅イオンは溶出する。
しかし、環境の気温や皮膚の部位によっては発汗が十分で無い場合もあるので、
水または電解質の液体（電解液）の併用が、安定した結果をもたらす。
【０００７】
（銅の無害性）
銅の錆びである緑青は、昔から「毒である」とされていたが、これは間違いで、
昭和59年8月、厚生省（現厚生労働省）は緑青猛毒説が間違いである事を認め、
さらに日本銅センターは東京大学医学部に依頼し、緑青に関する動物実験を6年間に渡って行った結果、
緑青は無害同様の物質であるとしている。
【０００８】
（単一電極）
前記金属臭に関する説明から、電位差を持つアノードとカソードが必ずしも無くとも金属イオンの放出は可能であり、
単一の電極であっても殺菌作用はある。
【０００９】
（電極を構成する材質）
ここで述べる電極の材質は、少なくともヒトやペットや家畜の皮膚、毛髪や被毛に触れる部分が、
銅イオンを電解液中に溶出可能な銅を含む部材、または銀イオンを電解液中に溶出可能な銀を含む部材、の何れか、またはその両方であれば、
他の材質が併せて使われていても良く、
また、前記電極表面は、銀または銀を含む合金、や銅または銅を含む合金のメッキであっても良く、更に導電性樹脂や繊維状金属やカーボンファイバーなどの複合材料が
それにより電解液中に銅イオンまたは銀イオンが溶出する事で前記電解液に殺菌性を付加出来る。
【００１０】
（水）
尚、純水は抵抗が高すぎて電解液とは言えないが、水道水などの不純物が含まれる場合や、
前記純水であっても皮膚に付着しているナトリウムなどの電解質が前記純水に溶解して、
結果的に電解液と成るので１０の電解液の代わりに水を電極に対して使っても良い。
ヒトやペットや家畜の皮膚（頭皮も含む）からの汗などの分泌物は、電解質のナトリウム等を含んでいるので電解液といえる。
しかし、皮膚や頭皮の場合、環境温度などによっては十分でない場合もあるので、電解液は別に供給するべきである。
さらに、皮膚が発汗していない時であっても何らかの電解質は残留しており、水を供給するだけでも電解液に成り得る。
従って水と共に前記電極を皮膚に接触させる事は結果的には電解液と共に電極を前記皮膚に接触させる事に変わりは無い。
【００１１】
（電位差）
単一の電極と電解液との組み合わせであっても銅または銀イオンの電解液への溶出は可能であるが、
少なくとも一組の電極に電位差を与える事でアノード側の金属イオンをより多く電解液に放出させる事が出来る。
この場合、銀イオンでも銅イオンでも殺菌力が有るので、どちらがアノードになっても良く、
一組の電極は、必ずしも銅イオンを電解液中に溶出可能な銅を含む部材、と、
銀イオンを電解液中に溶出可能な銀を含む部材、との組み合わせで無くても、
銅イオンを電解液中に溶出可能な銅を含む部材、同士または
銀イオンを電解液中に溶出可能な銀を含む部材、同士であっても良い。
【００１２】
（交番電流）
本出願における電極において、銅または銀を含む電極部材のいずれもアノードとカソードにしても良い。
つまり、前記電極に対して交番電流を使う事で、
アノードとカソードが入れ替わり、銀イオン、銅イオン共に放出可能であり、移動しながら使用すると、
銀イオンまたは銅イオンまたはその両方を電解液中の広範囲に溶出できる。
また、銀、または銀を含む部材、同士の電極の場合
または、銅、または銅を含む合金、同士の電極の場合は、
アノードカソードが入れ替わる度にイオンが溶出する電極の場所が入れ替わる。
これらの際、交番電流の周波数が高いと、一度電極から放出されたイオンが前記電極から広く拡散する事無くすぐに引き返してしまうので、
電極の移動速度にもよるが、例えば１００ヘルツ以下等の低周波であるのが望ましい。
また、交番電流の波形は、方形波，正弦波、鋸波、三角波、のいずれか、またはそれら複数の組み合わせであっても良い。
【００１３】
（電極先端部の配列形状）
電極先端部の配列が直線だと、３次曲面であるヒトや動物の表面に触れる事が出来る電極先端部は僅かであるが、
前記電極の配列が２次曲線上もしくは略２次曲線上、または３次曲線上もしくは略３次曲線上にあれば、前記電極の配列を、前記ヒトや動物の表面に対して斜めに当てる角度を変える事で、前記電極はヒトや動物の表面に一度に多くの接触が可能である。
【００１４】
（電極と皮膚の摩擦）
メッキの析出速度が上がる噴流式メッキ法の、
メッキ液（電解液）がメッキ電極付近に滞留せず、噴流によって、
メッキ電極が次々に新しいメッキ液に触れる事によってイオンの移動が活性化するのと同じ様に、本出願では電極を電解液と共に皮膚の上で擦る事で前記噴流式メッキ法と同様の事が起こる。
即ち、前記電極から溶出すべき銀や銅イオンは、前記電極と皮膚との摩擦によって前記電極に触れるべき電解液が次々に入れ替わる事で、
前記電極が皮膚と接する部分の電解液中のイオンが飽和する事無く、新しい電解液と出会う事が出来る。
また、電極に往復運動や回転運動の振動を与えても同様のことが言える。
【００１５】
（可塑性を持つ電極保持部）
ヒトや動物の皮膚表面は３次曲面なので、前記電極が配置されたブラシや櫛における電極の配列を保持する電極保持部（電極基部）の少なくともその一部が、可塑性を持つ部材で有れば、
ユーザーが、３次曲面に前記ブラシや櫛を押しつけて前記電極保持部を変形させるか、事前にユーザーが前記電極保持部を任意の形状に曲げて使用する事で、前記電極を前記３次曲面により多く接触させる事が可能である。
また、前記電極保持部がコイル形状になっていても良い。
前記可塑性のある電極保持部の材料としては、例えば軟質ポリエステル樹脂や、軟質塩化ビニルや、ヒト程度の力で変形可能なアルミや銅金属部材など、またはこれらを組み合わせたものであっても良い。
【００１６】
（弾性を持つ電極保持部）
前記電極保持部の少なくともその一部が復元性を持つ弾性部材であった場合、前記３次曲面に対して前記櫛の歯部や前記ブラシのブラシピン部を傾けて押し当てるだけで前記電極保持部が前記３次曲面に倣って変形し、
より多くの電極が前記３次曲面に触れることが出来るが、その押し当てる力を無くせば前記弾性を持つ電極保持部は元の形状に戻り、同様にしてさまざまな３次曲面に対応可能である。
また、前記電極保持部がコイル形状になっていても良い。
前記復元性を持つ弾性部材としては、例えば、ヒトの力で曲げやすい適切な薄さに成型されるか、曲げ方向と交わる方向に複数の溝が切られたポリプロピレンかＡＢＳ樹脂、ＰＣ樹脂等、で有っても良いし、
ヒト程度の力で変形可能な薄いばね鋼材や、ヒト程度の力で変形可能な薄いステンレスばね材が併用されても良い。
また、これらは前記可塑性のある部材と前記弾性部材を組み合わせても良い。
【００１７】
（可塑性を持つ電極部）
ヒトや動物の表面は３次曲面なので、前記電極が配置された櫛やブラシの電極部（歯部またはブラシピン部）の少なくとも一部が可塑性を持つ部材で有れば、
ユーザーが３次曲面に前記ブラシや櫛を押しつけて前記電極部を変形させるか、事前にユーザーが前記電極部を任意の形状に曲げて使用する事で前記、電極を前記３次曲面により多く接触させる事が出来る。
前記可塑性のある電極部の材料として、例えば軟質ポリエステル樹脂、軟質塩化ビニルや、銅や銀の金属材や板材やパイプなど、またはこれらを組み合わせたものであっても良く、電極の形状をらせん状またはコイル状にしても良い。
【００１８】
（弾性を持つ電極部）
前記電極部の少なくともその一部が復元性を持つ弾性部材であった場合、前記３次曲面に対して前記電極部を傾けて押し当てるだけで前記電極部が前記３次曲面に倣って変形し、
より多くの電極が前記３次曲面に触れることが出来るが、その押し当てる力を無くせば弾性を持つ前記電極保持部は元の形状に戻り、同様に押し付けるだけでさまざまな３次曲面に対応可能である。
前記復元性を持つ弾性部材としては、例えば、ヒトの力で曲げやすい適切な薄さに成型されるか、曲げ方向と交わる方向に複数の溝が切られたポリプロピレンかＡＢＳ樹脂、ＰＣ樹脂等、で有っても良いし、
ヒト程度の力で変形可能な薄いばね鋼材や、ヒト程度の力で変形可能な薄いステンレスばね材が併用されても良い。
また、電極部の形状をらせん状またはコイル状にしても良い。
また、可塑性のある部材と弾性部材を組み合わせても良い。
【００１９】
前記電極部は柔軟で復元性のある部材に電極部材がメッキされて電極としても良い。
当然に、前記電極間に電位差を設ける場合は前記電極に他と電気的に接続可能な導通部材が必要である。
また、櫛やブラシとして配列される電極は一列に限られる事は無く、二列以上あっても良い。
【００２０】
（絶縁体）
電極を含む歯部やブラシピンは、図５に例を挙げる様に
前記アノードとカソードの外周部のいずれかに電気絶縁体の突起か膨らみを持たせる事で、
隣り合うアノードとカソードが柔軟に曲がり変形する際、互いが電気的に接触して短絡（ショート）するのを防止できる。
【００２１】
（定義）
本出願における電解液とは、たとえ注入する液体が電解質とは言えない純水であっても、
それが電極部へ供給された結果、電極周辺の不純物が混入して結果的に電解液となる場合等、
最終的に電極と出会う段階で液体が電解液として機能すれば電解液とする。
【００２２】
本出願における電極とは、電解質の液体に対し、
銀、もしくは銀を含む合金、銀を含む導通性樹脂、銀を含むカーボン材料、または、
銅、もしくは銅を含む合金、銅を含む導通性樹脂、銅を含むカーボン材料、であっても良く、
前記電極外の電解液へ電荷を帯びた前記銀イオンまたは銅イオンが溶出可能なものを言う。
当然に、電極は純銀、純銅であっても良い。
また、前記金属が含まれ、かつ電解液に対して銅または銀イオンの溶出が可能であれば、メッキや複合材であっても良い。
【００２３】
本出願における電極または電極金属とは、特に指定がない限り、銀または銀を含む部材、銅または銅を含む部材のいずれかで出来たものを指す。
【００２４】
本出願における電極は、前記電極に電位差を設ける場合、電解液に対して銀または銅イオンを溶出可能な１０ボルト以下の電位差で使用するものであり、空気をイオン化可能な、高電圧を印加する高電圧電極ではない。
【００２５】
本出願における電極部とは、前記電極自身を含む、前記電極の電極基部と電極先端、との間の部材を指す。
【００２６】
本出願における電極基部とは、ひとつ以上の前記電極、が、間隔を持って配列、配置する前記電極の保持部を指す。
【００２７】
本出願における２次曲線とは、２次元の平面で描画可能な曲線を指す。
【００２８】
本出願における３次曲線とは２次元の平面では描画出来ない、前記平面から立ち上がる高さ情報を持った、３次元空間に描画可能な曲線を指す。
【００２９】
本出願における３次曲面とは、曲面が、切れ込みを入れずに２次元に展開できない曲面を指す。
【００３０】
本出願における毛髪とは、ヒトの髪の毛を含むヒトの体毛を総称している。
【００３１】
本出願における被毛とは、ペットや家畜の体毛を総称している。
【００３２】
本出願におけるブラシの基部から伸びる、櫛における歯に相当する部分の名称は、ブラシピンとする。
【００３３】
本出願における胴とは、歯やブラシピンを保持する櫛やブラシの基部であり、歯（電極部）やブラシピン（電極部）を保持し、そこから前記歯や前記ブラシピンが複数伸びている物を指す。
【００３４】
本出願における歯とは、櫛の基部（胴）から出て、毛髪や被毛の間に入る事ができ、少なくともそのうちの一部が電極として機能する部分を指す。
【００３５】
本出願におけるブラシピンとは、ブラシの基部（胴）から出て、毛髪や被毛の間に入る事ができ、少なくともそのうちの一部が電極として機能する部分を指す。
たとえ、一般的な櫛やブラシとは言えない形状の整髪または整毛目的の器具であっても、櫛やブラシの機能を持ち、部材の隙間を毛髪や被毛が通過できる形状のものであれば、本件発明で言うブラシや櫛に含まれる。
【００３６】
本出願における可塑性とは、人の力程度で容易に曲げる事が可能で、加えた力を取り去っても元の形状に戻らない物性を言う。
【００３７】
本出願における弾性とは、人の力程度で容易に曲げる事が可能で、加えた力を取り去ると力を加える前の形状に自ら戻る物性を言う。
【００３８】
本出願における電極同士の電位差とは恒常的な電位差に限らず、時間軸と共にその電位差が変化し、アノードカソードが入れ替わる交番電流も入る。
【００３９】
本出願は、櫛やブラシとして機能し、人体やペットや家畜の皮膚、毛髪、被毛に対して電解液と共に使用し、銅イオンまたは銀イオンを電解液中に溶出させる物であれば、
整髪器具、または整毛器具または整髪料容器、または整毛料容器、または液体容器、または電解液塗布容器、またはマッサージ器、またはブラッシング器、またはヘアードライヤー等に付加出来、
この他の器具であっても請求項に記載の条件を持つものであれば、特に器具名称は限定されない。
【００４０】
本出願の図面に示した形態は本出願の一例であり、本件請求項の趣旨を逸脱しない範囲であれば、たとえ類似のものであっても本件特許として保護される。
【発明の効果】
【００４１】
（殺菌効果と持続性）
本出願によれば、電解液と、銀または銅イオンを溶出可能な電極、との組み合わせで、殺菌効果を特に持たない保湿化粧品等の電解質の液体であっても殺菌効果を付加できる。
また、化粧品や電解液を特に用意しなくても、電極と皮膚が接する場所に水を供給する事で、または濡らした状態で、
皮膚上や毛髪または被毛に存在する電解質が溶けて、銀や銅のイオンを皮膚上や毛髪上や被毛上に溶出可能にして、微量金属の殺菌効果が期待できる。
それによりそれらの菌に起因する頭皮や皮膚のかゆみや毛髪、抜け毛、被毛の匂いを抑える事ができる。
更に、前記溶出した銅イオンや銀イオンは揮発性では無いので時間が経過しても、汗等で流れない限り、その場に滞留するので効果の持続性が期待できる。
【００４２】
（長期使用）
また、本発明は、銀または銅イオンの供給源である電極は、電解液または水を供給出来る限り、
外力による変形、損傷や、破損、しない限り摩滅するまで、非常に長期に渡って使用可能である。
【００４３】
（電極同士の電気的接続）
本出願における電極で使用する銀と銅間のイオン化傾向の差は僅かではあるが、それぞれの端部を電気的に接続し、
もう一方のそれぞれの端部を電極とし、その二つの電極を電解液で閉じた回路にすると僅かながら電流が流れ、単体で触れるより多くの銅イオンが放出される。
この場合、電源を必要としない。
【００４４】
（電極同士の電位差）
更に、それぞれの前記電極に電位差を設ける事でアノードとカソードを設定でき、更に、交番電流を使う事でアノードとカソードを入れ替えて、広い範囲に銅または銀イオンを放出できる。
【００４５】
（電解液の供給）
本出願における櫛、またはブラシの電極と電極部のうち、
少なくともひとつの電極もしくは電極部、または、少なくとも一組の電極もしくは一組の電極部、は、
図１の１ａ〜１ｆに例を挙げる様に前記電解液が通過もしくは浸透可能な、貫通するひとつ以上の穴もしくは空隙が開いているか、または
図１の１ａ、1ｄに例を挙げる様に前記電解液が通過もしくは浸透可能なスリットや溝が設けられるか、または
図１の１ｂに例を挙げる様に前記電解液が通過もしくは浸透可能な隙間を持ちつつ、前記電極に付随する部材か、または
図１の１ａに例を挙げる様に電極自身が束になっているか、または
多孔質で、前記電解液が浸透可能な部分を持つ部材を有するか、または
繊維状で、前記電解液が浸透可能な部材を有するか、または
前記電解液をスプレーまたは噴射機能を持つ機構を有する事で、
電極部に十分な電解液を供給する事で前記電極から溶出する、銀もしくは銅イオンを、ヒトの皮膚や毛髪、ペットや家畜の皮膚や被毛に供給できる。
【００４６】
（振動）
本出願の電極を含むブラシや櫛の一部、または全部、を回転運動や往復運動の振動を与えながら使用する事で、
頭皮や皮膚に対するマッサージ効果やブラッシングの際の櫛解けが良くなる。
また、その摩擦や往復運動または回転運動により電極と頭皮や皮膚や毛髪、被毛への銅または銀イオンの放出もしやすくなる。
【００４７】
（熱源との接続）
更に、本出願の電極である銅や銀電極は熱伝導が良いので、前記電極と熱源と接続する事で、ドライヤーの風または温風での乾燥時間を短縮でき、前記電極を皮膚へ接触させる事により温熱効果も期待できる。
また、同様に前記電極を熱交換器やペルチェ素子などと接続して冷却も可能で、体温が上がり過ぎたペットや家畜の冷却等にも良い。
【００４８】
（温風との併用）
前記電極の使用時に温風を当てる事で、容易に前記電極も暖まるので、毛にその熱を伝えやすくなり、乾燥やスタイリングが速くなる。
【００４９】
（電極部の配列）
本出願の電極先端部の配列を仮想の２次曲線もしくは略２次曲線上、または３次曲線もしくは略３次曲線上に配置する事で、前記電極先端を皮膚に対する押し当て角度を変えて、３次曲面である皮膚に、一度により多くの電極先端部を触れさせ、イオン放出がより広く行える。
【００５０】
（可塑性や復元性のある電極保持部材）
本出願の電極部を保持する電極保持部の少なくともその一部の部材に可塑性や、柔軟性と復元性を持つ弾性体を使う事で、ユーザーが３次曲面である皮膚に前記櫛またはブラシを押し当てると、より多くの電極を同時に触れさせて、イオン放出がより広く行える。
【００５１】
（可塑性や復元性のある電極）
本出願の電極部の少なくともその一部に可塑性や、柔軟性と復元性を持つ弾性体を使う事で３次曲面である皮膚により多くの電極を同時に触れさせて、イオン放出がより広く行える。
【００５２】
（静電気防止）
また、銅や銀は抵抗値が非常に低いので、それらを電極とした櫛やブラシを通して帯電した静電気をアースすれば、樹脂製品の様な静電気の帯電は起きない。
【図面の簡単な説明】
【００５３】
【図１】電極の形状の一例であり、電解液を供給する形態のパターンの一例を説明したもので、１ａ〜１ｆの形状の一部を切り欠いた断面をそれぞれの右側に示す
【図２】電極を持つ櫛の胴部と歯の配列形態の例
【図３】電極を持つ櫛の胴部が柔軟な場合の電極の変形例
【図４】電極部材の構造例
【図５】電極に絶縁体を付加した例
【図６】電源と皮膚に触れたアノード電極との間を生体で閉じた回路の例
【図７】電極の電気的結線パターンの例
【発明を実施するための形態】
【００５４】
銀または銅またはそれらを含む合金を使った電極の形状と、前記電極と合わせて電解液を供給する形態の例を交えて更に説明する。
（電解液）
本出願における櫛やブラシの持つ電極と共に、ヒトやペット、家畜の皮膚や毛髪、被毛に接する電解液は化粧水や塩水や水等、人蓄に無害で、前記電解液に銀イオンや銅のイオンが溶出可能であれば良く、
前記イオンの溶出を阻害しなければ電解液中に油脂類など電解質でないものが溶けていても良い。
また、電解液とは言えない純水であっても、例えば汗などが電極周辺に電解質がある場合、結果的に電解液になるものであっても良い。
【００５５】
（電解液供給のタイミング）
本出願における電極と、前記電極に触れるべき電解液と、前記電極が触れるべき皮膚や毛髪、被毛などへの接触は、それぞれが出会うタイミングは必ずしも同時である必要は無く、
先に電解液が髪の毛や頭皮にあっても良く、電解液が付いた電極に髪や頭皮が接しても良く、前記皮膚と接している電極に後から電解液が供給されても良い。
ヒトの皮膚、または人体の髪、または頭皮に、前記電極とは別のノズルから電解液または水が後から供給されても良い。
つまり、前記電極と、前記電解液が、同じ場所で共に接触する瞬間が有れば良い。
【００５６】
（電位差）
生理学の実験などで使われる２つ異種金属の電極から成るイオン化傾向の差を利用した電気ピンセットの様に（図７の７ａの例）、少なくとも一組の
銅イオンを電解液中に溶出可能な銅を含む部材、と
銀イオンを電解液中に溶出可能な銀を含む部材、の
端部を電気的に接合し、その接合した部分ではない、それぞれの端部を電解液で閉じた回路の、前記それぞれの端部間は、前記電気ピンセットと同様の電位差を生ずる。
しかし、銅と銀のイオン化傾向の差は少なく、大きな電位差とは成らない。
従ってイオンの移動も少ないので、更なるイオン量を求める場合は、図７の７ｂの様に少なくとも一組の電極の間に電源を使って電位差を設けて、
より多くのイオンを放出させるのが良い。
【００５７】
（電解液の供給）
図１の様に電解液を供給する穴やスリット等は、
必ずしも前記電極と皮膚に接触する部分に無くても、電解液吐出口から、
付随する前記電極やその周辺部品を伝い流れて皮膚に接触しても良い。
また、少なくともひとつの電極または電極部または、
少なくとも一組の電極または一組の電極部に供給される電解液は、
貫通するひとつ以上の穴や空隙、スリット、溝、線状の部材が束になったもの、
多孔質部材、繊維質部材などの毛細管現象を利用したり、
伝い流れなくともポンプやサイホン、重力、加圧や超音波などで押し出し、噴出させたり、薄膜などから浸透させたり、
前記電解液を噴霧器または噴射機能を持つ機構を使って、電極が触れる場所（その触れるタイミングは同時とは限らず、前後しても良い）にスプレー、塗布しても良く、
また、使用直前に電極を電解液または水に浸した後、ヒトやペットや家畜の皮膚ヒフや毛髪や被毛のいずれかに、前記電極で触れても良い。
【００５８】
（電極部材）
その殆どが、銅や銀やそれらの合金以外、の、導電性部材で作られた配線であっても、
ヒトやペットや家畜などの皮膚や毛髪、被毛に触れる部分の表面が、
銅イオンを電解液中に溶出可能な銅を含む部材、
または銀イオンを電解液中に溶出可能な銀を含む部材、で作られていれば良い。
また、ヒトやペットや家畜などの皮膚や毛髪、被毛に触れる部分の表面が、
銅や銅を含む合金、銀や銀を含む合金、は、メッキであっても良い。
【００５９】
電解液は、繊維状の銅または銀または、銅または銀を含む繊維または綿状、
フェルト状または布状に編まれたもの、またはそれらが束になったもの、
によって電極と電解液供給路を兼ねても良い。
【００６０】
電極として使われる銅の合金は、例えば青銅、黄銅などであっても良く、
人体に有害で無く、電解液中に銀や銅のイオンが溶出可能、
であれば樹脂やカーボンを含む複合材であっても良い。
【００６１】
（振動）
本出願におけるブラシまたは櫛の電極は、
往復または回転の振動運動を前記電極に与えて、噴流式メッキ法の様に前記電極に触れる前記電解液が滞留せず入れ替わる事で、
より効率的に前記イオン溶出を促進しても良く、
前記電極の突起部分を使ったマッサージ機等にして、皮膚の血流促進を図っても良い。
【００６２】
（電極先端部の形状）
電極は皮膚と接触可能な部分に1つ以上の凹凸があっても良く、
また、電極は回転軸を持つローラー形状をしていても良く、
前記ローラーの皮膚と接触可能な部分に1つ以上の凹凸があっても良い。
また、電極は皮膚と接触可能な部分が回転する球体であっても良い。
【００６３】
（電極の断面形状）
本出願における電極の歯が伸びる方向に直角な面で切った断面形状は丸に限らない。
電極表面積は広い方がイオン溶出に有利なので前記断面形状を紡錘形や楕円や長方形や角丸長方形などにしても良い。
【００６４】
（電極の形状バリエーション）
電極部の形状は、図４にその一部の例を挙げる他、板状部材を山部と谷部が出来る様に繰り返す形状に成型したものや、電極部材に複数の切れ込みが入った形状に成型したものや、コイル状にしたもの等、電極部材と電極部材の隙間を毛髪や被毛が通り、梳ける形状で有れば良い。
また、単一の棒状のものであっても、単に皮膚や毛髪や被毛に付き立てて毛髪や被毛を梳ける形状で有っても良い。
【００６５】
（電極の配列）
複数の電極の先端同士の位置関係が直線上に、
または平面と平行に並んでいる、例えば図２の２ａの様に、
複数の電極の先端同士の位置関係が直線上に、または平面と平行に並んでいると、
３次曲面で構成される面のヒトやペットや家畜の皮膚に接触した場合、
僅かな電極しか同時に接触させる事ができない。
そこで、図２の２ｂや２ｃの様に前記複数の電極の先端を
仮想の２次曲線（２１２）上もしくは３次曲線（２１３）上または略２次もしくは略３次曲線上に配置するか、
図３の様に、前記複数の電極を保持する基部（胴部）の全部または一部に柔軟性、または柔軟性と復元性を持たせる事で、
前記基部を変形させ、より多くの前記電極を３次曲面に触れさせる事が出来る。
また、柔軟な可塑性部材で出来た前記複数の電極を保持する基部（胴部）から伸びる電極を含む歯部の先端部分の配列を、３次曲面に倣うように、
電極を持つ歯部の一部または全部、または前記基部を歯の軸と交わる方向へ、ユーザーが好みの形状に変形させて使用しても良い。
ブラシの場合は、電極であるブラシピン配列を保持する基部を柔軟で復元性のある弾性部材にする事で３次曲面に倣う事が出来る。
【００６６】
（電極の保持部の柔軟性）
ヒトやペットや家畜の皮膚に接触可能な複数の前記電極の先端が２次曲線または３次曲線上に並んでいる事で、２０３Ａ〜２０３Ｄは柔軟性の無い部材で成型されても良いが、より多くの３次曲面に対応できる様に
図3の３ａ〜３ｄの様に柔軟性で復元性のある弾性部材で成型されても、柔軟だが復元性を持たない可塑性部材でユーザーが好みの形状に出来る様にしても良い。
【００６７】
（生体を閉じた回路の一部に使った例）
図６、図７の７ｃに見られる様に、電源と電極と電解液を含む閉じた回路の途中に生体を入れても良い。
具体的には、ヒトの場合、０２の電極をヒトの手が触れた状態で１０１Ａ全体を持ち、１０１Ａ（アノード）の先端は前記ヒトの皮膚に接触している。
この状態で閉じた回路になっており、アノードからの銅または銀イオンは皮膚上の１１（電解液中）へ溶出する。
【符号の説明】
【００６８】
１ａ    複数の電極を、筒状の電極金属または合成樹脂または電極金属のメッキをした合成樹脂で束ね、その隙間を電解液が流れるようにして接触面を球面の一部の様に整型した電極部の例
１ｂ    電極の横に沿わせた管からから電解液が流れ出る電極部の例
１ｃ    電極の中を通り電極先端横に開けた穴から電解液が流れ出る電極部の例
１ｄ    ピニオンギア状の電極とそれを覆う、筒状の電極金属または合成樹脂または電極金属のメッキをした合成樹脂の電極ケースとの間に出来る隙間を電解液が流れる電極部の例
１ｅ    電極の中に作ったスリットの中を電解液が通る電極部の例
１ｆ    電極に貫通穴を開け、そこを電解液が通る電極部の例  
２ａ    平板部材の胴部から、長さを揃えた電極（歯）が出ている櫛の例
２ｂ    アーチ形に成型された胴部を持ち、長さを揃えた電極（歯）が出ている櫛の例
２ｃ    アーチ形に成型された胴部を持ち、配列された電極（歯）が中央部に向けて徐々に短くなっている櫛の例（電極の先端部は２次曲線上にある）
３ａ    柔軟な、または柔軟で復元性のある弾性素材で出来た平板部材の胴部から、長さを揃えた電極（歯）が出ている櫛の例
３ｂ    平らな３ａの胴部の中央を押して（Ｆ）アーチ形に撓ませた状態の例
３ｃ    平らな３ａの胴部材の一部を柔軟でない部材にして柔軟な部材にＦで変形を与えた状態の例
３ｄ    平らな３ａの胴部から配列された電極（歯）が、中央部に向けて徐々に短く配置したものをＦで撓ませた櫛の例
４ａ    櫛やブラシに使われる歯またはブラシピンのうち、柔軟性と復元性のある部材の先端が電極となっている歯またはブラシピンの例
４ｂ    櫛やブラシに使われる歯またはブラシピンのうち、全てが同じ電極部材で成る、歯またはブラシピンの例
４ｃ    櫛やブラシに使われる歯またはブラシピンのうち、全てが同じ電極部材で成り、他と電気的に接続された歯またはブラシピンの例
４ｄ    櫛やブラシに使われる歯またはブラシピンのうち、先端部がそれを保持する部材の直径より大きくなっている電極と、それを保持する柔軟性のある部材で保持され、他と電気的に接続された歯またはブラシピンの例
４ｅ    櫛やブラシに使われる歯またはブラシピンのうち、先端部が電極で、それを保持する柔軟で、復元性のある部材で保持され、他と電気的に接続されたまたはブラシピン歯の例
４ｆ    櫛やブラシに使われる歯またはブラシピンのうち、先端部が電極で、それを保持する柔軟で、復元性のある部材で保持され、前記柔軟で、復元性のある部材表面がメッキされ、それらが他と電気的に接続された歯またはブラシピンの例
４ｇ    櫛やブラシに使われる歯またはブラシピンのうち、先端部を含めた歯全体が柔軟で、復元性のある部材で保持され、前記柔軟で、復元性のある部材表面がメッキされ、それが他と電気的に接続された歯またはブラシピンの例
５ａ    電極先端付近のそれぞれの外周部に絶縁体の突起を設けた例
５ｂ    アノードまたはカソードのいずれかの、電極先端付近のそれぞれの外周部に絶縁体の突起を設けた例        
７ａ    アノードとカソードの端部を接続し、電気ピンセット様の回路を形成したものの例
７ｂ    電源によりアノードとカソードに電位差を設けたものの例
７ｃ    電極をアノードのみとして生体をはさんで回路を閉じた例（電極は銅イオンまたは銀イオンが電解液に溶出可能な部材、またはその両者が混在しても良い）
Ｆ        変形力及び変形方向
Ｈ        両端の電極の長さの差
Ｍ        電極を動かす方向
００      皮膚
０１      ００の生体
０２      電極と生体の接触部
１０      電解液の流れ
１１      皮膚または毛髪または被毛上の電解液
１０１    電極
１０１Ａ  アノード
１０１Ｋ  カソード
１０２    貫通穴
１０３    スリット
１０４    ピニオンギア状スリット
１０５    結束細電極
１０６    電極ケース
１０７    電解液チューブ
１０８    電極先端（電解液と共に皮膚に触れる部分）
１０８Ａ  球体の形状の電極先端部
１１０    メッキ部
２００    胴部（電極保持部）
２０１    湾曲（アーチ形）に成型された櫛の胴部
２０２    湾曲（アーチ形）に成型された櫛の胴部
２０３Ａ  胴部が柔軟な可塑性、または柔軟で復元性のある弾性体の通常時の形状
２０３Ｂ  胴部が柔軟な可塑性、または柔軟で復元性のある弾性体の変形時の形状
２０３Ｃ  胴部の一部が柔軟な可塑性、または柔軟で復元性のある弾性体の変形時の形状
２０３Ｄ  胴部が柔軟な可塑性、または柔軟で復元性のある弾性体の歯部が中央に向けて短くなっている変形時の形状
２０４Ｃ  硬質な胴部
２０５    電極基部（胴部）
２１０    櫛の歯部
２１１    両端の電極の長さ
２１２    ２次曲線（２ｂの電極先端部上を通る線）
２１３    ３次曲線（２ｃの電極先端部上を通る線）
３００    電源
３０１    導線
３０２    絶縁体
４００    柔軟性と復元性を持つ部材
＊図１〜３はアノードとカソードの電気的接続、または前記アノードとカソード間の電位差を設ける接続を省略している。
また、図２〜７は電解液の供給を省いている。
【図１】
2020185291.tif 000003
【図２】
2020185291.tif 000004
【図３】
2020185291.tif 000005
【図４】
2020185291.tif 000006
【図５】
2020185291.tif 000007
【図６】
2020185291.tif 000008
【図７】
2020185291.tif 000009